(57)【要約】【課題】複数の機能から選択して容易に入力操作が行えるタッチ操作入力装置を提供することを目的とする。【解決手段】タッチ操作入力装置は、指示体Ｆ９９が接触される操作面と、指示体Ｆ９９の近接を検知する検知部と、検知部からの検出信号に基づき指示体Ｆ９９の位置を検出する検出手段と、検出手段からの検出信号に基づいてジェスチャを認識し接続された外部機器に入力情報を送信する制御部Ｓ７と、を備え、制御部Ｓ７が、複数の指示体Ｆ９９が接触された操作面上の複数の初期位置Ｐを記憶し、複数の初期位置Ｐのそれぞれに対応して異なる入力情報群を割り当て、制御部Ｓ７が初期位置Ｐの近傍のジェスチャを認識した際に、制御部Ｓ７が、初期位置Ｐに割り当てられた入力情報群を構成する複数の入力情報の内、ジェスチャに対応する入力情報を選択して入力情報の信号を送信することを特徴としている。【選択図】図５
2015172799.tif 000002
【特許請求の範囲】
【請求項１】
ユーザの指先等の指示体が接触される操作面と、
前記操作面への前記指示体の近接を検知する検知部と、
前記検知部からの検出信号に基づき前記指示体の位置を検出する検出手段と、
前記検出手段からの検出信号に基づいてジェスチャを認識し、接続された外部機器に信号を送信する制御部と、を備えたタッチ操作入力装置であって、
前記制御部は、複数の前記指示体が接触された前記操作面上の複数の初期位置を記憶し、
前記複数の初期位置のそれぞれに対応して異なる入力情報群を割り当て、
前記制御部が前記初期位置の近傍の前記ジェスチャを認識した際に、
前記制御部は、前記初期位置に割り当てられた前記入力情報群を構成する複数の入力情報の内、前記ジェスチャに対応する前記入力情報を選択して前記入力情報の信号を送信することを特徴とするタッチ操作入力装置。
【請求項２】
前記制御部は、関連した複数の前記入力情報群を備えた入力情報モードを複数有し、
前記初期位置の数に対応して、所定の前記入力情報モードを選択することを特徴とする請求項１に記載のタッチ操作入力装置。
【請求項３】
前記制御部は、前記複数の初期位置の配列を判断し、前記配列が予め記憶されていた配列パターンと一致した際に、前記配列パターンに対応して前記入力情報群及び前記複数の入力情報を割り当てるとともに、前記初期位置を中心とした複数の方向に前記複数の入力情報の検知位置を割り振ることを特徴とする請求項１または請求項２に記載のタッチ操作入力装置。
【請求項４】
前記指示体が手または足の指であることを特徴とする請求項３に記載のタッチ操作入力装置。
【発明の詳細な説明】
【技術分野】
【０００１】
本発明は、ユーザにより液晶等の画面上にタッチ操作して、例えば文字等の各種情報を入力可能なタッチ操作入力装置に関する。
【背景技術】
【０００２】
近年、ＡＴＭ（Automated Teller Machine）やカーナビゲーション等で、液晶等の表示画面に指で触れて入力操作を行う、所謂タッチ操作入力を用いる電子機器が増えてきた。特に、スマートフォンやタブレット等に代表される携帯端末では、タップ、ピンチイン・ピンチアウト、スワイプ及びフリック等のタッチ操作入力が行われるようになってきた。
【０００３】
このような入力操作が行われる入力装置の例として、特許文献１（従来例１）では、図１６に示すようなユーザインターフェースエレメントが提案されている。図１６は、従来例１のユーザインターフェースエレメントが用いられたモバイルデバイス８００において、仮想キーの初期位置から文字が放射する状態を示した平面図である。
【０００４】
従来例１のユーザインターフェースエレメントは、あるモードにおいて、図１６に示すように、モバイルデバイス８００のタッチセンシティブディスプレイ８０２上に、仮想キーがいくつか配設された状態を提供している（図１６に示す８２１〜８２６等）。そして、ユーザインターフェースエレメントは、例えば仮想キー８２１をタッチすると、仮想キー８２１から文字が放射する状態となる。更に、フリック入力が行えるようになっており、例えば右方向にフリックすることにより、“え”を入力することができる。このようにして、多様な入力が行えるとしている。
【０００５】
また、特許文献２（従来例２）では、図１７及び図１８に示すような情報入力装置が提案されている。図１７は、情報入力装置が用いられた携帯情報端末９００を示す図であって、図１７（ａ）は、携帯情報端末９００のブラウザ画面が全画面ジャックモードになっている場合において、所望の位置にユーザが指を接触させた時の指接触ポイントＰ９１の位置を示す図であり、図１７（ｂ）は、英文字テンキー対応入力モード時において、指接触ポイントＰ９１の位置に対応したグループオブジェクト群９１１を示した図である。図１８は、情報入力装置が用いられた携帯情報端末９００を示す図であって、図１８（ａ）は、英文字テンキー対応入力モード時の二回目のフリックジェスチャーに対する待機状態のジャックモード画面上において、所望の位置にユーザが指を接触させた時の指接触ポイントＰ９２の位置を示す図であり、図１８（ｂ）は、二回目のフリックジェスチャーに対する英文字テンキー対応入力モード時において、指接触ポイントＰ９２の位置に対応した文字オブジェクト群９２２を示した図である。
【０００６】
従来例２の情報入力装置は、タップジェスチャーに応じて文字入力用エリアがアクティブな状態になると、図１７（ａ）に示すように、タッチパネルの表示画面が文字等の情報入力のために使用される全画面ジャックモードへ移行する。そして、情報入力装置は、図１７（ａ）に示すように、タッチパネル上の所望の位置（指接触ポイントＰ９１）にユーザが指を接触させると、図１７（ｂ）に示すように、グループオブジェクト群９１１を、ジャックモード画面上に表示させる。次に、ユーザ所望の文字グループの配置方向へのフリックジェスチャーが行われると、そのフリックジェスチャー方向の文字グループがユーザにより選択されたと判断される。例えば、図１７（ｂ）に示す右斜め下のフリックジェスチャー方向にフリックされると、“ＷＸＹＺ”の文字オブジェクト群９２２が選択される。
【０００７】
次に、タッチパネルの表示画面は、図１８（ａ）に示すような二回目のフリックジェスチャーに対する待機状態のジャックモード画面となる。そして、情報入力装置は、図１８（ａ）に示すように、タッチパネル上の所望の位置（指接触ポイントＰ９２）にユーザが指を接触させると、図１８（ｂ）に示すように、先程選択された文字オブジェクト群９２２を、ジャックモード画面上に表示させる。最後に、ユーザ所望の文字の配置方向へのフリックジェスチャーが行われると、そのフリックジェスチャー方向の文字がユーザにより選択されたと判断される。例えば、図１８（ｂ）に示す左のフリックジェスチャー方向にフリックされると、“Ｚ”の文字が選択される。このようにして、文字の入力が行えるとしている。
【０００８】
以上により、この従来例２の情報入力装置は、従来例１と比較して、タッチパネルを用いて文字等を入力する場合に、ユーザの視覚による確認の作業が略々不要となり、また、入力時のタイミング合わせも不要で、負担の非常に少ない情報入力が可能であると提案されている。
【先行技術文献】
【特許文献】
【０００９】
【特許文献１】特開２０１１−１３８５３６号公報
【特許文献２】特開２０１２−１６８９３９号公報
【発明の概要】
【発明が解決しようとする課題】
【００１０】
しかしながら、従来例１では、予め準備されている複数の仮想キー（例えば図１６に示す８２１〜８２６等）を視認しながら選択して入力を行う方法なので、ユーザにとってより容易に入力できる方法ではなく、更に、電子機器の小型化に伴い仮想キーが小さくなった場合には、誤入力が生じる場合があった。一方、従来例２では、ユーザの視覚による確認の作業が略々不要となり、負担の少ない入力が可能となっているが、１つの機能に対する入力に限定され、従来例１のように複数の機能を選択して入力することができないという課題があった。
【００１１】
本発明は、上述した課題を解決するもので、複数の機能から選択して容易に入力操作が行えるタッチ操作入力装置を提供することを目的とする。
【課題を解決するための手段】
【００１２】
この課題を解決するために、本発明のタッチ操作入力装置は、ユーザの指先等の指示体が接触される操作面と、前記操作面への前記指示体の近接を検知する検知部と、前記検知部からの検出信号に基づき前記指示体の位置を検出する検出手段と、前記検出手段からの検出信号に基づいてジェスチャを認識し、接続された外部機器に信号を送信する制御部と、を備えたタッチ操作入力装置であって、前記制御部が、複数の前記指示体が接触された前記操作面上の複数の初期位置を記憶し、前記複数の初期位置のそれぞれに対応して異なる入力情報群を割り当て、前記制御部が前記初期位置の近傍の前記ジェスチャを認識した際に、前記制御部が、前記初期位置に割り当てられた前記入力情報群を構成する複数の入力情報の内、前記ジェスチャに対応する前記入力情報を選択して前記入力情報の信号を送信することを特徴としている。
【００１３】
これによれば、本発明のタッチ操作入力装置は、指示体の数と指示体のジェスチャの数との積算分が入力情報の数として外部機器に出力することができ、従来例２と比較して、複数の機能を選択してより多くの入力操作を行うことができる。しかも、従来例１のように予め準備されている複数の仮想キーを視認することがなく、画面を見ないで、複数の入力を行うことができる。これらのことにより、複数の機能を選択してより多くの入力操作を容易に行うことができるタッチ操作入力装置を提供することができる。
【００１４】
また、本発明のタッチ操作入力装置は、前記制御部が、関連した複数の前記入力情報群を備えた入力情報モードを複数有し、前記初期位置の数に対応して、所定の前記入力情報モードを選択することを特徴としている。
【００１５】
これによれば、入力操作をする前に、所望のモードに切り換える必要が生じない。このことにより、より容易な入力操作を行うことができる。
【００１６】
また、本発明のタッチ操作入力装置は、前記制御部が、前記複数の初期位置の配列を判断し、前記配列が予め記憶されていた配列パターンと一致した際に、前記配列パターンに対応して前記入力情報群及び前記複数の入力情報を割り当てるとともに、前記初期位置を中心とした複数の方向に前記複数の入力情報の検知位置を割り振ることを特徴としている。
【００１７】
これによれば、制御部が初期位置の配列を判断し、初期位置の配列が予め記憶されていた配列パターンと一致した際に、この配列パターンに対応して入力情報群を割り当てているので、入力操作をする前に、所望のモードに切り換える必要が生じないうえに、所望のモードのより正確な選択ができる。このことにより、より容易な入力操作を行うことができる。しかも、割り当てられた入力情報群に対して複数の入力情報を割り当てる際に、初期位置を中心とした複数の方向に複数の入力情報の検知位置を割り振っているので、複数の指示体がどの方向に向けて操作面に置かれたとしても、その指示体の配列パターンに対応して指示体の移動する方向が決められる。このため、従来例１及び従来例２のように予め決められた一定の方向（Ｘ方向及びＹ方向）に割り振られている場合と比較して、無理に指示体を一定の方向に合わせて移動させる必要がない。このことにより、指示体の動かしやすい方向で操作を行うことができ、より一層容易に入力操作を行うことができる。
【００１８】
また、本発明のタッチ操作入力装置は、前記指示体が手または足の指であることを特徴としている。
【００１９】
これによれば、指示体が手または足の指であるので、手または足がどの方向に向けて操作面に置かれたとしても、操作面上で予め決められた移動方向に合わせて、無理に指を移動させる必要がない。特に、指には動かし辛い方向があり、この方向を避けて検知位置を決めておくことができる。このことにより、指の動かしやすい方向で操作を行うことができ、より一層益々容易に入力操作を行うことができる。
【発明の効果】
【００２０】
本発明のタッチ操作入力装置は、指示体の数と指示体の移動方向の数との積算分が入力情報の数として外部機器に出力することができ、従来例２と比較して、複数の機能を選択してより多くの入力操作を行うことができる。しかも、従来例１のように予め準備されている複数の仮想キーを視認することがなく、画面を見ないで、複数の入力を行うことができる。これらのことにより、複数の機能を選択してより多くの入力操作を容易に行うことができるタッチ操作入力装置を提供することができる。
【図面の簡単な説明】
【００２１】
【図１】本発明の第１実施形態のタッチ操作入力装置が適用された一例の製品の斜視図である。
【図２】本発明の第１実施形態のタッチ操作入力装置を説明する図であって、図１に示すＺ１側から見た製品の上面図である。
【図３】本発明の第１実施形態のタッチ操作入力装置を説明する図であって、図２に示すＩＩＩ−ＩＩＩ線における構成断面図である。
【図４】本発明の第１実施形態のタッチ操作入力装置を説明する図であって、システム構成を示した模式図である。
【図５】本発明の第１実施形態のタッチ操作入力装置における制御動作を説明するフローチャート図である。
【図６】本発明の第１実施形態のタッチ操作入力装置における制御動作を説明する図であって、ユーザの指示体が操作面に触れられた状態を示す模式図である。
【図７】本発明の第１実施形態のタッチ操作入力装置における制御動作を説明する図であって、図７（ａ）は、初期位置に割り当てられた入力情報群の例１を示す模式図であり、図７（ｂ）は、初期位置に割り当てられた入力情報群の例２を示す模式図である。
【図８】本発明の第１実施形態のタッチ操作入力装置における制御動作を説明するフローチャート図であって、図５に示すＰ部分の例１を示した図である。
【図９】本発明の第１実施形態のタッチ操作入力装置における制御動作を説明する図であって、図９（ａ）は、ユーザの指示体が操作面に触れられた状態を示す模式図であり、図９（ｂ）は、初期位置に割り当てられた入力情報群の例３を示す模式図である。
【図１０】本発明の第１実施形態のタッチ操作入力装置における制御動作を説明するフローチャート図であって、図５に示すＰ部分の例３を示した図である。
【図１１】本発明の第２実施形態のタッチ操作入力装置が適用された一例の製品の上面図である。
【図１２】本発明の第２実施形態のタッチ操作入力装置における制御動作を説明する図であって、初期位置に割り当てられた入力情報群の例４を示した図である。
【図１３】本発明の第３実施形態のタッチ操作入力装置が適用された一例の製品の上面図である。
【図１４】本発明の第３実施形態のタッチ操作入力装置における制御動作を説明する図であって、図１４（ａ）は、ユーザの指示体が操作面に触れられた状態を示す例５の模式図であり、図１４（ｂ）は、初期位置に割り当てられた入力情報群の例５を示した図である。
【図１５】本発明の第３実施形態のタッチ操作入力装置における制御動作を説明する図であって、図１５（ａ）は、ユーザの指示体が操作面に触れられた状態を示す例６の模式図であり、図１５（ｂ）は、初期位置に割り当てられた入力情報群の例６を示した図である。
【図１６】従来例１のユーザインターフェースエレメントが用いられたモバイルデバイスにおいて、仮想キーの初期位置から文字が放射する状態を示した平面図である。
【図１７】従来例２の情報入力装置が用いられた携帯情報端末を示す図であって、図１７（ａ）は、携帯情報端末のブラウザ画面が全画面ジャックモードになっている場合において、所望の位置にユーザが指を接触させた時の指接触ポイントの位置を示す図であり、図１７（ｂ）は、英文字テンキー対応入力モード時において、指接触ポイントの位置に対応したグループオブジェクト群を示した図である。
【図１８】従来例２の情報入力装置が用いられた携帯情報端末を示す図であって、図１８（ａ）は、英文字テンキー対応入力モード時の二回目のフリックジェスチャーに対する待機状態のジャックモード画面上において、所望の位置にユーザが指を接触させた時の指接触ポイントの位置を示す図であり、図１８（ｂ）は、二回目のフリックジェスチャーに対する英文字テンキー対応入力モード時において、指接触ポイントの位置に対応した文字オブジェクト群を示した図である。
【発明を実施するための形態】
【００２２】
以下、本発明の実施の形態について図面を参照して説明する。
【００２３】
［第１実施形態］
図１は、本発明の第１実施形態のタッチ操作入力装置１０１が適用された一例の製品の斜視図である。図２は、本発明の第１実施形態のタッチ操作入力装置１０１を説明する図であって、図１に示すＺ１側から見た製品の上面図である。図３は、本発明の第１実施形態のタッチ操作入力装置１０１を説明する図であって、図２に示すＩＩＩ−ＩＩＩ線における構成断面図である。図４は、本発明の第１実施形態のタッチ操作入力装置１０１を説明する図であって、システム構成を示した模式図である。
【００２４】
本発明の第１実施形態のタッチ操作入力装置１０１は、図３及び図４に示すように、ユーザの手の指先（以下、指示体Ｆ９９として述べる）が接触される操作面５１ｐを有したタッチパネルＴＰと、指示体（指先）Ｆ９９の位置を検出する検出手段Ｍ５と、検出手段Ｍ５からの検出信号に基づいてジェスチャを認識し対応する入力情報の信号を送信する制御部Ｓ７と、を備えて構成され、図１及び図２に示す携帯電話等の携帯機器ＳＭＰに適用されている。但し、本発明のタッチ操作入力装置１０１は、携帯機器ＳＭＰの使用例に限定されものではなく、指示体Ｆ９９のジェスチャ入力が行われる電子機器に広く適用できる。
【００２５】
先ず、タッチ操作入力装置１０１のタッチパネルＴＰは、静電容量式と呼ばれる検出方式を用いており、図３に示すように、ポリカーボネート（ＰＣ、polycarbonate）等の透明な合成樹脂の基材５１と、この基材５１の一方面５１ａ側に積層されたＸ座標検出層１１と、絶縁体層４１を挟んでＸ座標検出層１１に積層されたＹ座標検出層２１と、を備えて構成されている。そして、このＸ座標検出層１１とＹ座標検出層２１とで検知部を形成しており、ユーザが自身の指示体Ｆ９９を携帯機器ＳＭＰの操作面５１ｐに近接または接触させたした際に、この検知部が操作面５１ｐへの指示体Ｆ９９の近接を検知し、静電容量値の変化によって操作面５１ｐ上における指示体Ｆ９９の座標位置を検出できるようになっている。この種のタッチパネルＴＰは、図３に示すように、ＬＣＤ（液晶ディスプレイ）等の表示装置２００の前面に設置されており、ユーザが表示装置２００の画面に表示されている所望の操作領域上に指示体Ｆ９９を置くと、その操作領域の操作内容が実行されるようなっている。なお、タッチパネルＴＰは、粘着層ＡＤを介して表示装置２００に貼り付けられている。また、基材５１にポリカーボネート（ＰＣ、polycarbonate）等の透明な合成樹脂を選定したが、これに限定されるものではなく、例えば透明なガラスでも良い。
【００２６】
タッチパネルＴＰのＸ座標検出層１１は、詳細な図示はしないが（図４参照）、透明な第１電極１１ａが多数配設されており、これら第１電極１１ａがＸ方向に等間隔に分散配置されている。そして、複数の第１電極１１ａは、フレキシブルプリント基板ＦＰＣ（Flexible printed circuits）を介して検出手段Ｍ５に接続されている。
【００２７】
また、タッチパネルＴＰのＹ座標検出層２１は、詳細な図示はしないが（図４参照）、透明な第２電極２１ａが多数配設されており、これら第２電極２１ａがＹ方向に等間隔に分散配置されている。そして、複数の第２電極２１ａは、フレキシブルプリント基板ＦＰＣを介して検出手段Ｍ５に接続されている。
【００２８】
次に、タッチ操作入力装置１０１の検出手段Ｍ５は、所謂、半導体集積回路（ＩＣ：Integrated Circuit）を用いており、検知部からの検出信号に基づき、静電容量の変化等を処理して演算し、操作面５１ｐへの指示体Ｆ９９の近接を検知するとともに、位置を検出している。この半導体集積回路（ＩＣ）のチップ片は、熱硬化性の合成樹脂でパッケージングされて、図３に示すように、プリント配線板１９（ＰＷＢ、printed wiring board）に実装されている。なお、タッチパネルＴＰの検出原理は公知であるため詳細な説明を省略するが、ユーザが指示体Ｆ９９を近接または接触させると、この指示体Ｆ９９の近傍で第１電極１１ａと第２電極２１ａとの間の静電容量値が変化し、この変化を検知し処理することにより、この容量値変化に基づいて指示体Ｆ９９の座標位置を検出できるようになっている。
【００２９】
最後に、タッチ操作入力装置１０１の制御部Ｓ７は、半導体集積回路（ＩＣ）を用いており、検出手段Ｍ５からの指示体Ｆ９９の位置情報に基づいて、制御部Ｓ７に接続された外部機器（第１実施形態では、携帯機器ＳＭＰ）に入力情報を送信している。この入力情報は、指示体Ｆ９９の位置情報を組み合わせた指示体Ｆ９９の動き、所謂指示体Ｆ９９のジェスチャにより行われた入力操作に対応している。なお、この半導体集積回路（ＩＣ）のチップ片も同様にして、熱硬化性の合成樹脂でパッケージングされて、図３に示すように、プリント配線板１９（ＰＷＢ、printed wiring board）に実装されている。
【００３０】
次に、タッチ操作入力装置１０１の制御部Ｓ７における制御方法について、図５、図８及び図１０に示すフローチャートと、図６、図７及び図９に示す説明図を用いて説明する。図５は、本発明の第１実施形態のタッチ操作入力装置における制御動作を説明するフローチャート図である。図６は、ユーザの指示体Ｆ９９が操作面５１ｐに触れられた状態を示す模式図である。図７（ａ）は、初期位置Ｐに割り当てられた入力情報群の例１を示す模式図であり、図７（ｂ）は、初期位置Ｐに割り当てられた入力情報群の例２を示す模式図である。図８は、図５に示すＰ部分の例１を示したフローチャート図である。図９（ａ）は、ユーザの指示体Ｆ９９が操作面５１ｐに触れられた状態を示す模式図であり、図９（ｂ）は、初期位置Ｐに割り当てられた入力情報群の例３を示す模式図である。図１０は、図５に示すＰ部分の例３を示したフローチャート図である。
【００３１】
先ず、ユーザの複数の指示体Ｆ９９が操作面５１ｐに接触されていない初期状態から、図６及び図９（ａ）に示すように、ユーザの複数の指示体Ｆ９９が操作面５１ｐ上に接触される。その際に、制御部Ｓ７は、図５に示すように、最初に複数の指示体Ｆ９９が接触された操作面５１ｐ上の複数の初期位置Ｐを記憶し、制御部Ｓ７に設けられた記憶部５７に、この複数の初期位置Ｐを保存する。なお、複数の指示体Ｆ９９が操作面５１ｐに最初に接触されて指示体Ｆ９９の位置が移動した場合は、指示体Ｆ９９の移動が終了した位置をこの初期位置Ｐとして保存される。
【００３２】
次に、制御部Ｓ７は、記憶部５７に予め割り当てられた入力情報群を備えた入力情報モードを選択する。本発明の第１実施形態では、図５に示すように、指示体Ｆ９９が操作面５１ｐ上に接触された複数の初期位置Ｐと、予め記憶部５７に備えられた複数の入力情報モードと、を対比させて、初期位置Ｐの数に対応して、所定の入力情報モードを選択するようにしている。これにより、入力操作をする前に、所望のモードに切り換える必要が生じないので、容易な入力操作を行うことができる。なお、この方法を好適に用いたが、この方法に限るものではない。例えば別な操作（入力操作やジェスチャ操作）で、予め入力モードを選択しておいても良い。
【００３３】
次に、制御部Ｓ７は、選択された入力情報モードにおいて、予め記憶部５７に備えられた異なる入力情報群を複数の初期位置Ｐのそれぞれに対応して割り当てる。例えば、入力情報モードが文字入力モードの場合、図７（ａ）に示すように、初期位置Ｐ１１には“あ行”、初期位置Ｐ１２には“か行”、初期位置Ｐ１３には“さ行”、初期位置Ｐ１４には“送り・戻り”の入力情報群を割り当てる。例えば、図７（ｂ）に示すように、初期位置Ｐ１１には“た行”、初期位置Ｐ１２には“な行”、初期位置Ｐ１３には“は行”、初期位置Ｐ１４には“送り・戻り”の入力情報群を割り当てる。また、例えば、入力情報モードが電話（ＴＥＬ）モードの場合、図９（ｂ）に示すように、初期位置Ｐ３１には“１〜５”、初期位置Ｐ３２には“０、６〜９”、初期位置Ｐ３３には“削除・発信”の入力情報群を割り当てる。
【００３４】
次に、制御部Ｓ７は、図５に示すように、最初に複数の指示体Ｆ９９が操作面５１ｐに接触されたときから、一定時間内に、指示体Ｆ９９のジェスチャが認識されるか否かを判断する。先ず、ジェスチャが認識されない際には、制御部Ｓ７は、記憶した初期位置Ｐを記憶部５７から削除して、初期の待機状態に戻している。
【００３５】
一方、制御部Ｓ７が初期位置Ｐの近傍のジェスチャを認識した際には、制御部Ｓ７は、予め割り当てられた入力情報群を構成する複数の入力情報の内、行われたジェスチャに対応する入力情報を選択する。次に、選択された入力情報の信号を制御部Ｓ７に接続された外部機器（第１実施形態では、携帯機器ＳＭＰ）に送信する。そして、指示体Ｆ９９のジェスチャが続いて行われるか否かの待機状態にする。なお、別な操作（入力操作やジェスチャ操作）を行い、この入力情報モードから抜け出して、初期状態にすることもできる。
【００３６】
具体的には、例えば、入力情報モードが文字入力モードの場合、制御部Ｓ７が初期位置Ｐの近傍のジェスチャを一定時間内に認識した際には、図８に示すように、どの初期位置Ｐ（Ｐ１１、Ｐ１２、Ｐ１３、Ｐ１４）に近いかどうかを先ず判断する。そして、初期位置Ｐ１１に近い場合は、制御部Ｓ７は、初期位置Ｐ１１に対応した入力情報群である“あ行”を選択する。次に、初期位置Ｐ１１の近傍の指示体Ｆ９９のジェスチャが、初期位置Ｐ１１から下方（図７（ａ）に示すＹ２方向）へのフリック操作或いはスクラブ操作の場合には、制御部Ｓ７は、予め割り当てられた“あ行”の複数の入力情報の内、図７（ａ）に示す“う”の入力情報を選択する。そして、この“う”の入力情報の信号を外部機器（携帯機器ＳＭＰ）に送信する。同様にして、初期位置Ｐ１２、初期位置Ｐ１３及び初期位置Ｐ１４の近傍の指示体Ｆ９９のジェスチャが行われた際にも、制御部Ｓ７は、予め割り当てられた入力情報群を構成する複数の入力情報の内、行われたジェスチャに対応する入力情報を選択して、この入力情報の信号を外部機器（携帯機器ＳＭＰ）に送信する。
【００３７】
また、初期位置Ｐ１４に割り当てられた“送り・戻り”の入力情報群でのジェスチャ操作が行われた際には、制御部Ｓ７は、外部機器（携帯機器ＳＭＰ）に入力情報の信号を送信するとともに、例えば図７（ｂ）に示す新たな入力情報群を割り当てる。なお、図７（ａ）及び図７（ｂ）に示すような入力情報群への切換に対して、初期位置Ｐ１４に“送り・戻り”の入力情報群を割り当てて行ったが、例えば初期位置Ｐ（Ｐ１１、Ｐ１２、Ｐ１３、Ｐ１４）の近傍をダブルタップするジェスチャ操作で行うこともできる。
【００３８】
また、例えば、入力情報モードが電話（ＴＥＬ）モードの場合も同様で、制御部Ｓ７が初期位置Ｐ（Ｐ３１、Ｐ３２、Ｐ３３）の近傍のジェスチャを一定時間内に認識した際には、図１０に示すように、どの初期位置Ｐに近いかどうかを判断し、初期位置Ｐ３２に近い場合は、制御部Ｓ７は、初期位置Ｐ３２に対応した入力情報群である“０、６〜９”を選択する。次に、初期位置Ｐ３２の近傍の指示体Ｆ９９のジェスチャが、初期位置Ｐ３２から左方（図９（ｂ）に示すＸ２方向）へのフリック操作或いはスクラブ操作の場合には、制御部Ｓ７は、予め割り当てられた“０、６〜９”の複数の入力情報の内、図９（ｂ）に示す“７”の入力情報を選択する。そして、この“７”の入力情報の信号を外部機器（携帯機器ＳＭＰ）に送信する。
【００３９】
このようにして、本発明の第１実施形態のタッチ操作入力装置１０１は、制御部Ｓ７が指示体Ｆ９９の複数の初期位置Ｐのそれぞれに対応して異なる入力情報群を割り当て、初期位置Ｐの近傍のジェスチャを制御部Ｓ７が認識した際に、制御部Ｓ７がジェスチャに対応する入力情報を選択して入力情報の信号を送信するように構成した。このため、指示体Ｆ９９の数と指示体Ｆ９９の移動方向の数との積算分が入力情報の数として外部機器（携帯機器ＳＭＰ）に出力することができる。このため、従来例２と比較して、複数の機能を選択してより多くの入力操作を行うことができる。しかも、複数の指示体Ｆ９９が操作面５１ｐに接触されていない状態から、指示体Ｆ９９が接触された操作面５１ｐ上の初期位置Ｐを記憶して操作を行うように構成したので、従来例１のように予め準備されている複数の仮想キーを視認することがなく、画面を見ないで、複数の入力を行うことができる。これらのことにより、複数の機能を選択してより多くの入力操作を容易に行うことができるタッチ操作入力装置１０１を提供することができる。
【００４０】
また、本発明の第１実施形態では、制御部Ｓ７は、複数の初期位置Ｐの配列を判断し、初期位置Ｐの配列が予め記憶されていた配列パターンと一致した際に、この配列パターンに対応して入力情報群を割り当てている。具体的には、制御部Ｓ７は、図７に示す４つの初期位置Ｐ（Ｐ１１、Ｐ１２、Ｐ１３、Ｐ１４）の配列パターンが文字入力モード（入力情報群）に対応していると判断し、図９（ｂ）に示す３つの初期位置Ｐ（Ｐ３１、Ｐ３２、Ｐ３３）の配列パターンがＴＥＬモード（入力情報群）に対応していると判断して、それぞれの入力情報群を割り当てている。これにより、前述した初期位置Ｐの数に対応したモード選択に加え、この判断基準でモードを選択することができるので、所望のモードに切り換える必要が生じないうえに、所望のモードのより正確な選択ができる。このことにより、より容易な入力操作を行うことができる。
【００４１】
更に、本発明の第１実施形態では、図７及び図９（ｂ）に示すように、割り当てられた入力情報群に対して複数の入力情報を割り当てる際に、初期位置Ｐを中心とした複数の方向に複数の入力情報の検知位置を割り振っている。これにより、複数の指示体Ｆ９９がどの方向に向けて操作面５１ｐに置かれたとしても、その指示体Ｆ９９の配列パターンに対応して指示体Ｆ９９の移動する方向が決められる。このため、従来例１及び従来例２のように予め決められた一定の方向（Ｘ方向及びＹ方向）に割り振られている場合と比較して、無理に指示体Ｆ９９を一定の方向に合わせて移動させる必要がない。このことにより、指示体Ｆ９９の動かしやすい方向で操作を行うことができ、より一層容易に入力操作を行うことができる。特に、本発明の第１実施形態では、指示体Ｆ９９が手なので、指には動かし辛い方向があり、この方向を避けて移動方向を決めておくことができる。このことにより、指の動かしやすい方向で操作を行うことができ、より一層益々容易に入力操作を行うことができる。
【００４２】
以上のように構成された本発明の第１実施形態のタッチ操作入力装置１０１における、効果について、以下に纏めて説明する。
【００４３】
本発明の第１実施形態のタッチ操作入力装置１０１は、制御部Ｓ７が指示体Ｆ９９の複数の初期位置Ｐのそれぞれに対応して異なる入力情報群を割り当て、初期位置Ｐの近傍のジェスチャを制御部Ｓ７が認識した際に、制御部Ｓ７がジェスチャに対応する入力情報を選択して入力情報の信号を送信するように構成した。このため、指示体Ｆ９９の数と指示体Ｆ９９のジェスチャの数との積算分が入力情報の数として外部機器に出力することができる。このため、従来例２と比較して、複数の機能を選択してより多くの入力操作を行うことができる。しかも、複数の指示体Ｆ９９が操作面５１ｐに接触されていない状態から、指示体Ｆ９９が接触された操作面５１ｐ上の初期位置Ｐを記憶して操作を行うように構成したので、従来例１のように予め準備されている複数の仮想キーを視認することがなく、画面を見ないで、複数の入力を行うことができる。これらのことにより、複数の機能を選択してより多くの入力操作を容易に行うことができるタッチ操作入力装置１０１を提供することができる。
【００４４】
また、制御部Ｓ７が初期位置Ｐの数に対応した入力情報モードを選択するので、入力操作をする前に、所望のモードに切り換える必要が生じない。このことにより、より容易な入力操作を行うことができる。
【００４５】
また、制御部Ｓ７が初期位置Ｐの配列を判断し、初期位置Ｐの配列が予め記憶されていた配列パターンと一致した際に、この配列パターンに対応して入力情報群を割り当てているので、入力操作をする前に、所望のモードに切り換える必要が生じないうえに、所望のモードのより正確な選択ができる。このことにより、より容易な入力操作を行うことができる。しかも、割り当てられた入力情報群に対して複数の入力情報を割り当てる際に、初期位置Ｐを中心とした複数の方向に複数の入力情報の検知位置を割り振っているので、複数の指示体Ｆ９９がどの方向に向けて操作面５１ｐに置かれたとしても、その指示体Ｆ９９の配列パターンに対応して指示体Ｆ９９の移動する方向が決められる。このため、従来例１及び従来例２のように予め決められた一定の方向（Ｘ方向及びＹ方向）に割り振られている場合と比較して、無理に指示体Ｆ９９を一定の方向に合わせて移動させる必要がない。このことにより、指示体Ｆ９９の動かしやすい方向で操作を行うことができ、より一層容易に入力操作を行うことができる。
【００４６】
また、指示体Ｆ９９が手または足の指であるので、手または足がどの方向に向けて操作面５１ｐに置かれたとしても、操作面５１ｐ上で予め決められた移動方向に合わせて、無理に指を移動させる必要がない。特に、指には動かし辛い方向があり、この方向を避けて検知位置を決めておくことができる。このことにより、指の動かしやすい方向で操作を行うことができ、より一層益々容易に入力操作を行うことができる。
【００４７】
［第２実施形態］
図１１は、本発明の第２実施形態のタッチ操作入力装置１０２が適用された一例の製品の上面図である。図１２は、本発明の第２実施形態のタッチ操作入力装置１０２における制御動作を説明する図であって、初期位置Ｐに割り当てられた入力情報群の例４を示した図である。また、第２実施形態のタッチ操作入力装置１０２は、第１実施形態に対し、適用された製品が異なる。なお、第１実施形態と同一構成については、同一符号を付して詳細な説明は省略する。
【００４８】
本発明の第２実施形態のタッチ操作入力装置１０２は、図示はしていないが、ユーザの手の指先（指示体Ｆ９９）が接触される操作面５１ｐを有したタッチパネルＴＰと、指示体Ｆ９９の位置を検出する検出手段Ｍ５と、検出手段Ｍ５からの検出信号に基づいてジェスチャを認識し対応する入力情報の信号を送信する制御部Ｓ７と、を備えて構成され、図１２に示す携帯機器ＰＡＤに適用されている。なお、タッチ操作入力装置１０２についての構成要素の説明は、省略する。
【００４９】
次に、タッチ操作入力装置１０２の制御部Ｓ７における制御方法について説明する。先ず、ユーザの複数の指示体Ｆ９９が操作面５１ｐに接触されていない初期状態から、図１２に示すように、ユーザの複数の指示体Ｆ９９が操作面５１ｐ上に接触される。その際に、制御部Ｓ７は、最初に複数の指示体Ｆ９９が接触された操作面５１ｐ上の複数の初期位置Ｐ（図１２では１０ヶ所）を記憶し、制御部Ｓ７に設けられた記憶部５７に、この複数の初期位置Ｐを保存する。なお、複数の指示体Ｆ９９が操作面５１ｐに最初に接触されて指示体Ｆ９９の位置が移動した場合は、指示体Ｆ９９の移動が終了した位置をこの初期位置Ｐとして保存される。
【００５０】
次に、制御部Ｓ７は、記憶部５７に予め割り当てられた入力情報群を備えた入力情報モードを選択する。本発明の第２実施形態では、指示体Ｆ９９が操作面５１ｐ上に接触された１０ヶ所の初期位置Ｐと、予め記憶部５７に備えられた複数の入力情報モードと、を対比させて、この初期位置Ｐの数に対応して、図１２に示すようなキーボード入力モード（入力情報モード）を選択するようにしている。これにより、入力操作をする前に、所望のモードに切り換える必要が生じないので、容易な入力操作を行うことができる。
【００５１】
次に、制御部Ｓ７は、選択されたキーボード入力モードにおいて、予め記憶部５７に備えられた異なる入力情報群を複数の初期位置Ｐのそれぞれに対応して割り当てる。具体的には、制御部Ｓ７は、１０ヶ所の初期位置Ｐをホームポジションのキー位置として、図１２に示すフルキーボードのキー配置を割り当てている。
【００５２】
次に、制御部Ｓ７は、最初に複数の指示体Ｆ９９が操作面５１ｐに接触されたときから、一定時間内に、指示体Ｆ９９のジェスチャが認識されるか否かを判断する。そして、ジェスチャが認識されない際には、制御部Ｓ７は、記憶した初期位置Ｐを記憶部５７から削除して、初期の待機状態に戻す。
【００５３】
一方、制御部Ｓ７が初期位置Ｐの近傍のジェスチャを認識した際には、制御部Ｓ７は、予め割り当てられた入力情報群を構成する複数の入力情報の内、行われたジェスチャに対応する入力情報を選択する。次に、選択された入力情報の信号を制御部Ｓ７に接続された外部機器（第２実施形態では、携帯機器ＰＡＤ）に送信する。そして、指示体Ｆ９９のジェスチャが続いて行われるか否かの待機状態にする。具体的には、初期位置Ｐの近傍に割り当てられたキーの位置に、指示体Ｆ９９のタップ操作のジェスチャが行われた際に、そのキーの入力情報が外部機器（携帯機器ＰＡＤ）に送信される。なお、初期位置Ｐにおいても、指示体Ｆ９９のタップ操作のジェスチャが行われた際に、初期位置Ｐのキーの入力情報が外部機器（携帯機器ＰＡＤ）に送信される。
【００５４】
このようにして、本発明の第２実施形態のタッチ操作入力装置１０２は、制御部Ｓ７が指示体Ｆ９９の複数の初期位置Ｐのそれぞれに対応して異なる入力情報群を割り当て、初期位置Ｐの近傍のジェスチャを制御部Ｓ７が認識した際に、制御部Ｓ７がジェスチャに対応する入力情報を選択して入力情報の信号を送信するように構成した。このため、指示体Ｆ９９の数と指示体Ｆ９９の移動方向の数との積算分が入力情報の数として外部機器（携帯機器ＰＡＤ）に出力することができる。このため、従来例２と比較して、複数の機能を選択してより多くの入力操作を行うことができる。しかも、複数の指示体Ｆ９９が操作面５１ｐに接触されていない状態から、指示体Ｆ９９が接触された操作面５１ｐ上の初期位置Ｐを記憶して操作を行うように構成したので、従来例１のように予め準備されている複数の仮想キーを視認することがなく、画面を見ないで、複数の入力を行うことができる。これらのことにより、複数の機能を選択してより多くの入力操作を容易に行うことができるタッチ操作入力装置１０２を提供することができる。
【００５５】
また、本発明の第２実施形態では、制御部Ｓ７は、１０ヶ所の初期位置Ｐの配列を判断し、１０ヶ所の初期位置Ｐの配列が予め記憶されていた配列パターンと一致した際に、この配列パターンに対応して、キーボード入力モードのフルキーボードのキー配置（入力情報群）を割り当てている。これにより、前述した初期位置Ｐの数に対応したモード選択に加え、この判断基準でモードを選択することができるので、所望のモードに切り換える必要が生じないうえに、所望のモードのより正確な選択ができる。このことにより、より容易な入力操作を行うことができる。
【００５６】
更に、本発明の第２実施形態では、１０ヶ所の初期位置Ｐの配列パターンに合わせて、キー間のピッチを変えることができる。このことにより、例えば手の大小に合わせてフルキーボードのキー配置を割り当てることができ、より快適で操作し易い入力を行うことができる。
【００５７】
［第３実施形態］
図１３は、本発明の第３実施形態のタッチ操作入力装置１０３が適用された一例の製品の上面図である。図１４（ａ）は、ユーザの指示体Ｆ９９が操作面５１ｐに触れられた状態を示す例５の模式図であり、図１４（ｂ）は、初期位置Ｐに割り当てられた入力情報群の例５を示した図である。図１５（ａ）は、ユーザの指示体Ｆ９９が操作面５１ｐに触れられた状態を示す例６の模式図であり、図１５（ｂ）は、初期位置Ｐに割り当てられた入力情報群の例６を示した図である。また、第３実施形態のタッチ操作入力装置１０３は、第１実施形態に対し、適用された製品が異なる。なお、第１実施形態と同一構成については、同一符号を付して詳細な説明は省略する。
【００５８】
本発明の第３実施形態のタッチ操作入力装置１０３は、図示はしていないが、ユーザの手の指先（指示体Ｆ９９）が接触される操作面５１ｐを有したタッチパネルＴＰと、指示体Ｆ９９の位置を検出する検出手段Ｍ５と、検出手段Ｍ５からの検出信号に基づいてジェスチャを認識し対応する入力情報の信号を送信する制御部Ｓ７と、を備えて構成され、図１３に示す車両のステアリングＳＴＧに適用されている。なお、タッチ操作入力装置１０３についての構成要素の説明は、省略する。
【００５９】
次に、タッチ操作入力装置１０３の制御部Ｓ７における制御方法について説明する。先ず、ユーザの複数の指示体Ｆ９９が操作面５１ｐに接触されていない初期状態から、図１４（ａ）に示すように、ユーザの３つの指示体Ｆ９９が操作面５１ｐ上に接触される。その際に、制御部Ｓ７は、最初に複数の指示体Ｆ９９が接触された操作面５１ｐ上の３つの初期位置Ｐ（Ｐ５１、Ｐ５２、Ｐ５３）を記憶し、制御部Ｓ７に設けられた記憶部５７に、この複数の初期位置Ｐを保存する。なお、複数の指示体Ｆ９９が操作面５１ｐに最初に接触されて指示体Ｆ９９の位置が移動した場合は、指示体Ｆ９９の移動が終了した位置をこの初期位置Ｐとして保存される。
【００６０】
次に、制御部Ｓ７は、記憶部５７に予め割り当てられた入力情報群を備えた入力情報モードを選択する。本発明の第３実施形態では、指示体Ｆ９９が操作面５１ｐ上に接触された３ヶ所の初期位置Ｐと、予め記憶部５７に備えられた複数の入力情報モードと、を対比させて、この初期位置Ｐの数に対応して、図１４（ｂ）に示すような空調調節モード（入力情報モード）を選択するようにしている。
【００６１】
次に、制御部Ｓ７は、選択された空調調節モードにおいて、予め記憶部５７に備えられた異なる入力情報群を３ヶ所の初期位置Ｐのそれぞれに対応して割り当てる。具体的には、制御部Ｓ７は、初期位置Ｐ５１には“温度の上下”、初期位置Ｐ５２には“エアコンのＯＮ／ＯＦＦ”、初期位置Ｐ５３には“風量の増減”の入力情報群を割り当てている。
【００６２】
次に、制御部Ｓ７は、最初に複数の指示体Ｆ９９が操作面５１ｐに接触されたときから、一定時間内に、指示体Ｆ９９のジェスチャが認識されるか否かを判断する。そして、ジェスチャが認識されない際には、制御部Ｓ７は、記憶した初期位置Ｐを記憶部５７から削除して、初期の待機状態に戻す。
【００６３】
一方、制御部Ｓ７が初期位置Ｐの近傍のジェスチャを認識した際には、制御部Ｓ７は、予め割り当てられた入力情報群を構成する複数の入力情報の内、行われたジェスチャに対応する入力情報を選択する。次に、選択された入力情報の信号を制御部Ｓ７に接続された外部機器（第３実施形態では車両）に送信する。そして、指示体Ｆ９９のジェスチャが続いて行われるか否かの待機状態にする。
【００６４】
具体的には、例えばフリック操作或いはスクラブ操作で初期位置Ｐ５１の近傍に割り当てられた位置に指示体Ｆ９９を移動させた際に、温度を上昇させるか下降させるかの入力情報が外部機器（車両）に送信される。
【００６５】
また、別な例では、ユーザの複数の指示体Ｆ９９が操作面５１ｐに接触されていない初期状態から、ユーザの４つの指示体Ｆ９９が操作面５１ｐ上に接触されると（図１５（ａ）を参照）、制御部Ｓ７は、操作面５１ｐ上の４つの初期位置Ｐ（Ｐ６１、Ｐ６２、Ｐ６３、Ｐ６４）を記憶し、この４ヶ所の初期位置Ｐと複数の入力情報モードとを対比させて、この初期位置Ｐの数に対応して、図１５（ｂ）に示すような窓調節モード（入力情報モード）を選択するようにしている。このようにして、制御部Ｓ７が初期位置Ｐの数に対応した入力情報モードを選択するので、入力操作をする前に、所望のモードに切り換える必要が生じないので、容易な入力操作を行うことができる。
【００６６】
また、この例でも同様にして、制御部Ｓ７は、選択された窓調節モードにおいて、初期位置Ｐ６１には“後部左窓の上下”、初期位置Ｐ６２には“前部左窓の上下”、初期位置Ｐ６３には“前部右窓の上下”、初期位置Ｐ６４には“後部右窓の上下”の入力情報群を割り当てている。
【００６７】
そして、制御部Ｓ７がいずれかの初期位置Ｐの近傍のジェスチャを認識した際には、制御部Ｓ７は、予め割り当てられた入力情報群を構成する複数の入力情報の内、行われたジェスチャに対応する入力情報を選択すし、選択された入力情報の信号を制御部Ｓ７に接続された外部機器（車両）に送信するようにしている。
【００６８】
以上のようにして、本発明の第３実施形態のタッチ操作入力装置１０３は、指示体Ｆ９９の数と指示体Ｆ９９の移動方向の数との積算分が入力情報の数として外部機器（携帯機器ＰＡＤ）に出力することができる。このため、従来例２と比較して、複数の機能を選択してより多くの入力操作を行うことができる。しかも、複数の指示体Ｆ９９が操作面５１ｐに接触されていない状態から、指示体Ｆ９９が接触された操作面５１ｐ上の初期位置Ｐを記憶して操作を行うように構成したので、従来例１のように予め準備されている複数の仮想キーを視認することがなく、画面を見ないで、複数の入力を行うことができる。これらのことにより、複数の機能を選択してより多くの入力操作を容易に行うことができるタッチ操作入力装置１０３を提供することができる。
【００６９】
また、本発明の第３実施形態では、制御部Ｓ７は、３ヶ所或いは４ヶ所の初期位置Ｐの配列を判断し、３ヶ所或いは４ヶ所の初期位置Ｐの配列が予め記憶されていた配列パターンと一致した際に、この配列パターンに対応して、キーボード入力モードのフルキーボードのキー配置（入力情報群）を割り当てるようにもしている。これにより、前述した初期位置Ｐの数に対応したモード選択に加え、この判断基準でモードを選択することができるので、所望のモードに切り換える必要が生じないうえに、所望のモードのより正確な選択ができる。このことにより、より容易な入力操作を行うことができる。
【００７０】
また、本発明の第３実施形態では、図１５（ｂ）の初期位置Ｐ６１の“後部左窓の上下”に示すように、指示体Ｆ９９が手なので、親指が動かし安い方向（図１５（ｂ）ではＸ方向）に移動方向を決めておくことができる。このことにより、より一層益々容易に入力操作を行うことができる。
【００７１】
なお、本発明は上記実施形態に限定されるものではなく、例えば次のように変形して実施することができ、これらの実施形態も本発明の技術的範囲に属する。
【００７２】
＜変形例１＞
上記実施形態では、Ｘ座標検出層１１とＹ座標検出層２１とで検知部を形成し、指示体Ｆ９９の位置座標を検出するように構成したが、これに限るものではなく、例えば１層の電極層で、指示体Ｆ９９の位置を検出するようにしても良い。
【００７３】
＜変形例２＞
上記実施形態では、指示体Ｆ９９として、ユーザの手の指先を用いて構成したが、これに限るものではなく、例えば足の指先やタッチペンでも良い。
【００７４】
＜変形例３＞
上記実施形態では、検知部として、静電容量式のタイプを用いたが、これに限るものではなく、例えば抵抗式やひずみ式の検知部を用いても良い。
【００７５】
本発明は上記実施の形態に限定されず、本発明の目的の範囲を逸脱しない限りにおいて適宜変更することが可能である。
【符号の説明】
【００７６】
５１ｐ  操作面
Ｍ５    検出手段
Ｓ７    制御部
Ｆ９９  指示体
Ｐ、Ｐ１１、Ｐ１２、Ｐ１３、Ｐ１４、Ｐ３１、Ｐ３２、Ｐ３３、
Ｐ５１、Ｐ５２、Ｐ５３、Ｐ６１、Ｐ６２、Ｐ６３、Ｐ６４  初期位置
１０１、１０２，１０３  タッチ操作入力装置
【図１】
2015172799.tif 000003
【図２】
2015172799.tif 000004
【図３】
2015172799.tif 000005
【図４】
2015172799.tif 000006
【図５】
2015172799.tif 000007
【図６】
2015172799.tif 000008
【図７】
2015172799.tif 000009
【図８】
2015172799.tif 000010
【図９】
2015172799.tif 000011
【図１０】
2015172799.tif 000012
【図１１】
2015172799.tif 000013
【図１２】
2015172799.tif 000014
【図１３】
2015172799.tif 000015
【図１４】
2015172799.tif 000016
【図１５】
2015172799.tif 000017
【図１６】
2015172799.tif 000018
【図１７】
2015172799.tif 000019
【図１８】
2015172799.tif 000020